【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
装置本体に装着可能であり、給送されるシートを収納する給紙カセットと、
シート給送方向と直交する幅方向に移動可能に設けられ、前記給紙カセットに収納されたシートの側端部を規制可能な側端規制手段と、
前記側端規制手段よりもシート給送方向上流において、前記給紙カセットのカセット本体における所定の装着位置に着脱可能に設けられる補助部材と、
前記給紙カセットに収納されたシートのシート給送方向の上流端の位置を規制するために、前記補助部材とは独立してシート給送方向に沿って移動可能に設けられ、かつシート給送方向において前記カセット本体に装着された前記補助部材より上流に移動可能な後端規制部材と、を備え、
前記所定の装着位置に前記補助部材を装着しない前記給紙カセットに第１サイズのシートを収納して前記給紙カセットを前記装置本体に装着する装着動作を行った場合、前記カセット本体に設けられた第１の面が前記第１サイズのシートの側端と接触して前記第１サイズのシートの回転を抑制することが可能となっており、
前記所定の装着位置に前記補助部材を装着した前記給紙カセットに前記第１サイズよりも前記幅方向の長さが短い第２サイズのシートを収納して前記給紙カセットの前記装着動作を行った場合、前記補助部材が前記第２サイズのシートの側端と接触して前記第２サイズのシートの回転を抑制することが可能となっており、
前記装置本体に対する前記給紙カセットの装着方向は前記側端規制手段の移動方向に沿った方向であり、
前記カセット本体の前記幅方向における前記第１の面の外側には、上部に開口が形成された空間部が設けられ、前記補助部材が上方から前記所定の装着位置に装着される際に前記補助部材の一部が前記開口を介して前記空間部に挿入されるように構成されており、前記補助部材の一部が前記空間部に挿入された状態では、前記給紙カセットの前記装着動作が行われる場合に前記補助部材の前記所定の装着位置から前記幅方向への移動が規制されることを特徴とするシート給送装置。
【請求項２】
前記カセット本体は、前記第１の面に対して前記幅方向の外側に、前記空間部を形成する第２の面であって、前記所定の装着位置に装着された前記補助部材の一部に前記幅方向の外側から対向する第２の面を有することを特徴とする請求項１に記載のシート給送装置。
【請求項３】
前記カセット本体は、前記第１の面に対して前記幅方向の外側かつ前記第２の面に対して前記幅方向の内側に設けられ、前記空間部を形成する第３の面であって、前記所定の装着位置に装着された前記補助部材の一部に前記幅方向の内側から対向し、前記第２の面と共に前記補助部材が前記所定の装着位置から前記幅方向に移動することを規制する第３の面を有することを特徴とする請求項２に記載のシート給送装置。
【請求項４】
装置本体に装着可能であり、給送されるシートを収納する給紙カセットと、
前記装置本体に設けられ、前記給紙カセットに収納されたシートを給送する給送ローラと、
前記装置本体に設けられ、前記給送ローラによって給送されたシートに画像を形成する画像形成部と、
シート給送方向と直交する幅方向に移動可能に設けられ、前記給紙カセットに収納されたシートの側端部を規制可能な側端規制手段と、
前記給紙カセットにおいて前記側端規制手段よりもシート給送方向上流において、前記給紙カセットのカセット本体における所定の装着位置に着脱可能に設けられる補助部材と、
前記給紙カセットに収納されたシートのシート給送方向の上流端の位置を規制するために、前記給紙カセットにおいて前記補助部材とは独立してシート給送方向に沿って移動可能に設けられ、かつシート給送方向において前記カセット本体に装着された前記補助部材より上流に移動可能な後端規制部材と、を備え、
前記所定の装着位置に前記補助部材を装着しない前記給紙カセットに第１サイズのシートを収納して前記給紙カセットを前記装置本体に装着する装着動作を行った場合、前記カセット本体に設けられた第１の面が前記第１サイズのシートの側端と接触して前記第１サイズのシートの回転を抑制することが可能となっており、
前記所定の装着位置に前記補助部材を装着した前記給紙カセットに前記第１サイズよりも前記幅方向の長さが短い第２サイズのシートを収納して前記給紙カセットの前記装着動作を行った場合、前記補助部材が前記第２サイズのシートの側端と接触して前記第２サイズのシートの回転を抑制することが可能となっており、
前記装置本体に対する前記給紙カセットの装着方向は前記側端規制手段の移動方向に沿った方向であり、
前記カセット本体の前記幅方向における前記第１の面の外側には、上部に開口が形成された空間部が設けられ、前記補助部材が上方から前記所定の装着位置に装着される際に前記補助部材の一部が前記開口を介して前記空間部に挿入されるように構成されており、前記補助部材の一部が前記空間部に挿入された状態では、前記給紙カセットの前記装着動作が行われる場合に前記補助部材の前記所定の装着位置から前記幅方向への移動が規制されることを特徴とする画像形成装置。
【手続補正２】
【補正対象書類名】明細書
【補正対象項目名】発明の名称
【補正方法】変更
【補正の内容】
【発明の名称】シート給送装置及び画像形成装置
【手続補正３】
【補正対象書類名】明細書
【補正対象項目名】０００１
【補正方法】変更
【補正の内容】
【０００１】
本発明は、シートを給送するシート給送装置及びシートに画像を形成する画像形成装置に関する。
【手続補正４】
【補正対象書類名】明細書
【補正対象項目名】０００８
【補正方法】変更
【補正の内容】
【０００８】
ところで、従来のシート収納手段において、シート回転防止用のリブ５３，５４は、既述したように収容可能なシートのうち最大シート幅を有するシートＳ１、もしくは最大シート長を有するシートＳ２の側端の後端側に対応する位置に配置されている。このため、給紙カセット５０に、これらのシートＳ１，Ｓ２よりも小さいサイズのシートが収納されている場合、挿入時、給紙カセット５０に衝撃が加わると、シートは、リブ５３，５４に突き当たるまで回転してしまう。
【手続補正５】
【補正対象書類名】明細書
【補正対象項目名】０００９
【補正方法】変更
【補正の内容】
【０００９】
そこで、本発明は、このような現状に鑑みてなされたものであり、給紙カセットを装置本体に装着した時の衝撃によるシートの回転を抑制することのできるシート給送装置及び画像形成装置を提供することを目的とする。
【手続補正６】
【補正対象書類名】明細書
【補正対象項目名】００１０
【補正方法】変更
【補正の内容】
【００１０】
本発明の一態様は、装置本体に装着可能であり、給送されるシートを収納する給紙カセットと、シート給送方向と直交する幅方向に移動可能に設けられ、前記給紙カセットに収納されたシートの側端部を規制可能な側端規制手段と、前記側端規制手段よりもシート給送方向上流において、前記給紙カセットのカセット本体における所定の装着位置に着脱可能に設けられる補助部材と、前記給紙カセットに収納されたシートのシート給送方向の上流端の位置を規制するために、前記補助部材とは独立してシート給送方向に沿って移動可能に設けられ、かつシート給送方向において前記カセット本体に装着された前記補助部材より上流に移動可能な後端規制部材と、を備え、前記所定の装着位置に前記補助部材を装着しない前記給紙カセットに第１サイズのシートを収納して前記給紙カセットを前記装置本体に装着する装着動作を行った場合、前記カセット本体に設けられた第１の面が前記第１サイズのシートの側端と接触して前記第１サイズのシートの回転を抑制することが可能となっており、前記所定の装着位置に前記補助部材を装着した前記給紙カセットに前記第１サイズよりも前記幅方向の長さが短い第２サイズのシートを収納して前記給紙カセットの前記装着動作を行った場合、前記補助部材が前記第２サイズのシートの側端と接触して前記第２サイズのシートの回転を抑制することが可能となっており、前記装置本体に対する前記給紙カセットの装着方向は前記側端規制手段の移動方向に沿った方向であり、前記カセット本体の前記幅方向における前記第１の面の外側には、上部に開口が形成された空間部が設けられ、前記補助部材が上方から前記所定の装着位置に装着される際に前記補助部材の一部が前記開口を介して前記空間部に挿入されるように構成されており、前記補助部材の一部が前記空間部に挿入された状態では、前記給紙カセットの前記装着動作が行われる場合に前記補助部材の前記所定の装着位置から前記幅方向への移動が規制されることを特徴とするシート給送装置である。
本発明の他の一態様は、装置本体に装着可能であり、給送されるシートを収納する給紙カセットと、前記装置本体に設けられ、前記給紙カセットに収納されたシートを給送する給送ローラと、前記装置本体に設けられ、前記給送ローラによって給送されたシートに画像を形成する画像形成部と、シート給送方向と直交する幅方向に移動可能に設けられ、前記給紙カセットに収納されたシートの側端部を規制可能な側端規制手段と、前記給紙カセットにおいて前記側端規制手段よりもシート給送方向上流において、前記給紙カセットのカセット本体における所定の装着位置に着脱可能に設けられる補助部材と、前記給紙カセットに収納されたシートのシート給送方向の上流端の位置を規制するために、前記給紙カセットにおいて前記補助部材とは独立してシート給送方向に沿って移動可能に設けられ、かつシート給送方向において前記カセット本体に装着された前記補助部材より上流に移動可能な後端規制部材と、を備え、前記所定の装着位置に前記補助部材を装着しない前記給紙カセットに第１サイズのシートを収納して前記給紙カセットを前記装置本体に装着する装着動作を行った場合、前記カセット本体に設けられた第１の面が前記第１サイズのシートの側端と接触して前記第１サイズのシートの回転を抑制することが可能となっており、前記所定の装着位置に前記補助部材を装着した前記給紙カセットに前記第１サイズよりも前記幅方向の長さが短い第２サイズのシートを収納して前記給紙カセットの前記装着動作を行った場合、前記補助部材が前記第２サイズのシートの側端と接触して前記第２サイズのシートの回転を抑制することが可能となっており、前記装置本体に対する前記給紙カセットの装着方向は前記側端規制手段の移動方向に沿った方向であり、前記カセット本体の前記幅方向における前記第１の面の外側には、上部に開口が形成された空間部が設けられ、前記補助部材が上方から前記所定の装着位置に装着される際に前記補助部材の一部が前記開口を介して前記空間部に挿入されるように構成されており、前記補助部材の一部が前記空間部に挿入された状態では、前記給紙カセットの前記装着動作が行われる場合に前記補助部材の前記所定の装着位置から前記幅方向への移動が規制されることを特徴とする画像形成装置である。
【手続補正７】
【補正対象書類名】明細書
【補正対象項目名】００１１
【補正方法】変更
【補正の内容】
【００１１】
本発明によれば、給紙カセットを装置本体に装着した時の衝撃によるシートの回転を抑制することができる。
【手続補正８】
【補正対象書類名】明細書
【補正対象項目名】００３８
【補正方法】変更
【補正の内容】
【００３８】
１…フルカラーレーザビームプリンタ、１Ａ…プリンタ本体、１Ｂ…画像形成部、１Ｅ…装着部、６０…給紙カセット、６０Ａ…カセット本体、６０ａ…カセット本体の奥側側壁、６０ｂ…カセット本体の手前側側壁、６１…奥側サイド規制板、６１Ａ…側端規制手段、６２…手前側サイド規制板、６３…後端規制板、８０…奥側サイド規制部材、８０Ａ…上流側端規制手段、８１…手前側サイド規制部材、８１ａ…規制部（第１の面）、８１ｂ…スリット溝、８１ｃ…装着空間、８２…補助サイド規制部材、８２ａ…凸部、８３…補助部材収容部、Ｓ，Ｓ１，Ｓ２，Ｓ３…シート